(57)【要約】【課題】この発明は、わずかな間隔をあけた密着状態で不正に通過しようとする車両を、確実に検出できる通過車両管理装置を提供することを目的とする。【解決手段】車両７０を通過させるための操作を受付ける自動精算機４０と、通過する車両７０の台数を検出するレーザセンサ２０と、前記自動精算機４０から受付けた車両数より多い台数の車両７０の通過を検出することによって、当該車両７０を密着車両７０ｂとして検知する制御コンピュータ１０とを備え、前記レーザセンサ２０を、レーザビーム２１を照射するレーザ照射部と、該レーザ照射部から照射されたレーザビーム２１の反射レーザビーム２２を受光するレーザ受光部と、該レーザ受光部が受光した前記反射レーザビーム２２から通過する車両を検出する車両検出部とで構成したレーザセンサ２０で形成し、該レーザセンサ２０を車両７０の上方からレーザビーム２１を照射可能な固定ポール２３に配した。【選択図】図１
2008146298.tif 000002
【特許請求の範囲】
【請求項１】
車両を通過させるための操作を受付ける操作受付手段と、
通過する車両の台数を検出する車両台数検出手段と、
前記操作受付手段から受付けた車両数より多い台数の通過車両を前記車両台数検出手段が検出することによって、当該通過車両を通過のための操作を受付けていない未受付車両として検知する未受付車両検知手段とを備えた
通過車両管理装置。
【請求項２】
前記車両台数検出手段を、
レーザビームを照射するレーザ照射部と、該レーザ照射部から照射されたレーザビームの反射光を受光するレーザ受光部と、該レーザ受光部が受光した前記反射光から通過する車両を検出する車両検出部とで構成したレーザセンサで形成し、
該レーザセンサを、
前記通過車両の上方からレーザ光を照射する上方位置に配した
請求項１に記載の通過車両管理装置。
【請求項３】
前記未受付車両に対して警告を出力する警告出力手段を備えた
請求項１、又は２に記載の通過車両管理装置。
【請求項４】
前記未受付車両の画像を撮像する撮像手段と、
前記未受付車両の不正通過を確認する不正通過確認手段と、
前記画像を前記不正通過車両の画像として保存する保存手段とを備えた
請求項１、２或いは３に記載の通過車両管理装置。
【請求項５】
請求項４に記載の通過車両管理装置で確認された不正通過車両に関する情報を管理する総括管理装置と、
該総括管理装置に不正通過車両情報を通知する通知手段と、
前記不正通過車両情報に基づいて、不正通過車両を特定する不正通過車両特定手段と、
前記不正通過車両情報を前記特定された不正通過車両と関連付けて保管する不正通過車両情報保管手段を備えた
不正通過車両管理システム。
【請求項６】
前記撮像手段を、通過車両の画像を撮像可能に構成するとともに、
該撮像手段による画像から当該車両を特定する車両特定手段と、
車両の通過を遮断する遮断手段と、
当該通過車両が前記不正通過車両情報保管手段に前記不正通過車両情報が保管された車両であるか否かを判定する判定手段とを備え、
通過車両が不正通過車両として情報が保存された車両である場合、前記遮断手段によって通過車両の通過を遮断する
請求項５に記載の不正通過車両管理システム。
【請求項７】
車両を通過させるための操作を受付ける操作受付ステップと、
通過する車両の台数を検出する車両台数検出ステップと、
前記操作受付手段から受付けた車両数より多い台数の通過車両を前記車両台数検出手段が検出することによって、当該通過車両を未受付車両として検知する未受付車両検知ステップとを備えた
車両通過管理方法。
【請求項８】
請求項７に記載の車両通過管理方法において、検知された未受付車両の画像を撮像する未受付車両撮像ステップと、
前記未受付車両検知ステップで検知された前記未受付車両の不正通過を確認する不正通過確認ステップと、
前記不正通過車両の前記画像を保存する保存ステップと、
前記不正通過車両に関する情報を管理する管理ステップと、
前記不正通過車両情報を通知する通知ステップと、
前記不正通過車両情報に基づいて、不正通過車両を特定する不正通過車両特定ステップと、
前記不正通過車両情報を前記特定された不正通過車両と関連付けて保管する不正通過車両情報保管ステップとを備えた
不正通過車両管理方法。
【請求項９】
通過車両の画像を撮像する通過車両撮像ステップと、
該撮像手段による画像から当該車両を特定する車両特定ステップと、
車両の通過を遮断する遮断ステップと、
当該通過車両が前記不正通過車両情報保管手段に前記不正通過車両情報が保管された車両であるか否かを判定する判定ステップとを備え、
通過車両が不正通過車両として情報が保存された車両である場合、前記遮断手段によって通過車両の通過を遮断することを特徴とした
請求項８に記載の不正通過車両管理方法。
【発明の詳細な説明】
【技術分野】
【０００１】
この発明は、例えば、無人駐車場の出口等に配置され、車両の不正な通過を管理する通過車両管理装置に関する。
【背景技術】
【０００２】
従来より、無人駐車場の出口やＥＴＣゲートにおいて、通過する車両をループ検知器等で検知して、駐車料金や通過料の支払を受付け、車両の出庫や通過を許可する自動精算機等の通過車両管理装置が多く存在している。しかし、上記ループ検知器の車両分解能は低く、十ｃｍ程度の間隔しか離れていない密着した状態で前後に連なった車両を１台の車両として検知するため、支払を免れようとする不正な車両が出庫や通過するといった問題が生じていた。ここで、ループ検知器を用いて、密着した状態で前後に連なった車両の不正通過を防止する駐車管理システムが提案されている（特許文献１参照）。
【０００３】
この駐車管理システムは、駐車場の入出場路に一般的な車両１台分の長さに合わせた間隔を隔てて２つのゲートを備えている。この駐車管理システムのループ検知器が車両を検知すると、２つのゲートのうち駐車場内側のゲートを開放して２つのゲート間に車両を進入させて、当該ゲートを閉じる。その状態で支払いを受付けることによって、駐車場外側のゲートを開放して車両を出庫させる。  
このようにして、この駐車管理システムは、一般的な車長を有する車両が密着した状態では２つのゲート間に収まらず、密着して不正に通過しようとする車両の通過を防止することができる。
【０００４】
しかし、この駐車管理システムは、２つのゲートと、当該２つのゲートを一般的な車両１台分の長さに合わせた間隔を隔てて配置するスペースが必要であった。また、例えば、車長が一般的な車両の半分程度の長さの短い車両の場合、密着した状態でも２つのゲートの間に収まるため、このような車両の不正な通過を防止することはできなかった。また、一般的な車両の車長より長い車両は、１台の正当な通過車両であるのにもかかわらず、２つのゲートの間に収まらないため、正当でない車両の通過と判断されるという問題もあり、この駐車管理システムを用いて駐車サービスを提供するサービス提供者の満足を得るものではなかった。
【０００５】
【特許文献１】特開２００２−２４８８１号公報
【発明の開示】
【発明が解決しようとする課題】
【０００６】
この発明は、わずかな間隔をあけた密着状態で不正に通過しようとする車両を、確実に検出できる通過車両管理装置を提供することを目的とする。
【課題を解決するための手段】
【０００７】
この発明は、車両を通過させるための操作を受付ける操作受付手段と、通過する車両の台数を検出する車両台数検出手段と、前記操作受付手段から受付けた車両数より多い台数の通過車両を前記車両台数検出手段が検出することによって、当該通過車両を通過のための操作を受付けていない未受付車両として検知する未受付車両検知手段とを備えた通過車両管理装置及び車両通過管理方法であることを特徴とする。
【０００８】
上記操作受付手段は、駐車場の出口に備えた自動精算装置、或いはＥＴＣの料金所に備えたアンテナ等であることを含む。  
上記通過する車両の台数を検出する車両台数検出手段は、レーザセンサ等を用いて、数十ｃｍ以下の間隔しか離れていない密着した状態で前後に連なって進行する車両を複数台の車両として検出できる検出手段である。
【０００９】
未受付車両は、例えば、料金支払等の通過のための操作をせずに通過しようとする車両である。  
この発明により、例えば、数十ｃｍ以下の間隔しか離れていない密着した状態で前後に連なって進行する車両を、操作受付手段で操作受付されていない未受付車両を検出することができる。
【００１０】
この発明の態様として、前記車両台数検出手段を、レーザビームを照射するレーザ照射部と、該レーザ照射部から照射されたレーザビームの反射光を受光するレーザ受光部と、該レーザ受光部が受光した前記反射光から通過する車両を検出する車両検出部とで構成したレーザセンサで形成し、該レーザセンサを、前記通過車両の上方からレーザ光を照射する上方位置に配することができる。
【００１１】
これにより、数ｃｍの精度での車両分離を検出することができ、例えば数ｃｍ程度の間隔で密着して前後に連なった車両を複数台の車両として確実に検知することができる。  
また、レーザビーム照射部から照射され、車両で反射された反射光の受光によって車両検知するため、反射板を必要とせず、車両台数を検出するための設備を簡略化できる。
【００１２】
また、レーザセンサを上方位置に配置し、通過車両の上方からレーザ光を照射する構成としたことによって、例えば通過車両の側方からレーザ光を照射する側方位置にレーザセンサを配置した場合と比較して、車両の離間部分を悪意者が手や人体で遮ることでセンサを誤作動させるという側方位置に配置した場合に起こり得る不正を防止することができる。
【００１３】
また、この発明の態様として、前記未受付車両に対して警告を出力する警告出力手段を備えることができる。  
上記警告出力手段とは、通過のための操作がなされず不正に通過しようとしている旨、そのまま通過することで例えば証拠写真を保存する旨、警察や管理会社に不正通過の証拠とともに通報する旨等の警告表示を、未受付車両を乗車している運転者等や周囲の人に見えるように出力する液晶ディスプレイやプラズマディスプレイ等の出力装置である。
【００１４】
これにより、未受付車両の運転者に、当該通過が不正な通過である旨を明確に伝えることができ、未受付車両の不正な通過を抑制することができる。また、例えば、不正通過の証拠写真が保存されていることによって、不正な通過の再発を防止することができる。
【００１５】
また、この発明の態様として、前記未受付車両の画像を撮像する撮像手段と、前記未受付車両の不正通過を確認する不正通過確認手段と、前記画像を前記不正通過車両の画像として保存する保存手段とを備えることができる。
【００１６】
前記不正通過車両は、例えば、料金支払等の操作をせず通過しようとしていた未受付車両が不正に通過し、その不正通過の事実が確認された車両である。  
前記画像を撮像する撮像手段は、ＡｕｔｏｍａｔｉｃＶｅｈｉｃｌｅＩｄｅｎｔｉｆｉｃａｔｉｏｎ（以下においてＡＶＩ）用の動画を撮像するＣＣＤカメラ、通常の監視カメラ、或いは写真を撮影するデジタルカメラ等の静止画用カメラである。
【００１７】
これにより、例えば、通過完了前に料金等を支払うことで正当な通過となり得る可能性のある未受付車両の画像を撮像しておき、当該画像のうち不正通過の事実を確認した不正通過車両の画像を保存しておくことができる。したがって、不正通過の事実を画像として保存することができる。  
また、当初は未受付車両であったが、通過完了する前に通過のための操作を行って正当な通過車両になった車両の画像は保存されないため、全ての通過車両の画像を保存する場合と比較して保存容量を抑制することができる。
【００１８】
また、この発明は、上記通過車両管理装置で確認された不正通過車両に関する情報を管理する総括管理装置と、該総括管理装置に不正通過車両情報を通知する通知手段と、前記不正通過車両情報に基づいて、不正通過車両を特定する不正通過車両特定手段と、前記不正通過車両情報を前記特定された不正通過車両と関連付けて保管する不正通過車両情報保管手段を備えた不正通過車両管理システム、及び不正通過車両管理方法であることを特徴とする。
【００１９】
上記通過車両管理装置による不正通過車両に関する情報は、不正通過車両の画像及び通過を確認した時間等の不正通過行為を特定する特定情報であることを含む。  
上記総括管理装置はサーバであることを含み、該総括管理装置に不正通過車両情報を通知する通知手段は、インターネット回線、専用回線、或いは電話回線等の有線通信回線、又は無線ＬＡＮや携帯電話回線等の無線通信回線を利用して上記情報を送信する手段である。
【００２０】
これにより、不正通過車両に関する情報を総括管理装置で総括して保管、管理することができる。したがって、例えば、複数の場所に設置した通過車両管理装置で検出した不正通過車両を一元管理することができる。
【００２１】
この発明の態様として、前記撮像手段を、通過車両の画像を撮像可能に構成するとともに、該撮像手段による画像から当該車両を特定する車両特定手段と、車両の通過を遮断する遮断手段と、当該通過車両が前記不正通過車両情報保管手段に前記不正通過車両情報が保管された車両であるか否かを判定する判定手段とを備え、通過車両が不正通過車両として情報が保存された車両である場合、前記遮断手段によって通過車両の通過を遮断することができる。
【００２２】
上記通過車両は、未受付車両及び不正通過車両だけでなく、正当に通過する車両も含み、すなわち通過する全ての車両である。  
上記車両特定手段は、撮像手段が撮像した画像をコンピュータ処理して、車両のナンバープレートを自動認識して車両を特定するＡＶＩシステムである。
【００２３】
これにより、正当に通過しようとする通過車両であっても、例えば、前回や今までに所定回数以上の不正通過を行ってきた不正通過車両である場合、この通過車両の通過を遮断することによって、不正通過分の請求する等の処置を行うことができ、この不正通過車両管理システムを用いて駐車サービスを提供するサービス提供者の満足度を向上することができる。
【発明の効果】
【００２４】
この発明によれば、わずかな間隔をあけた密着状態で不正に通過しようとする車両を、確実に検出することができる。
【発明を実施するための最良の形態】
【００２５】
この発明の一実施の形態を以下図面に基づいて詳述する。  
不正通過管理システム１００のシステム概容図を示す図１、通過管理装置１を設置した駐車場の出口部分の斜視図を示す図２とともに、不正通過管理システム１００、通過管理装置１及びレーザセンサ２０について説明する。
【００２６】
不正通過管理システム１００は、通過管理装置１と、通過管理装置１と回線１１０を介して接続された総括管理サーバ１２０とで構成されている。なお、図１は１つの通過管理装置１のみを総括管理サーバ１２０に接続しているが、実際は複数の通過管理装置１が接続されている。また、本実施例において、回線１１０を有線通信回線である専用回線で構成したが、それに限定されず、インターネット回線や、電話回線等の有線通信回線、又は無線ＬＡＮや携帯電話回線等の無線通信回線で構成してもよい。
【００２７】
前記総括管理サーバ１２０は、この不正通過管理システム１００を管理運営する管理会社に設置されたコンピュータであり、ＣＰＵとＲＯＭとＲＡＭで構成される制御装置、ハードディスク等の記憶装置、ＣＤ−ＲＯＭドライブやＤＶＤ−ＲＡＭドライブ等の記憶媒体を読取る記憶媒体読取装置、または記憶媒体読書き装置、マウスやキーボード等の入力装置、ＣＲＴや液晶画面等で構成する表示装置、回線１１０を介して通信を行うＬＡＮボード等の通信装置、並びに後述するブラックリストを格納する管理データベース等を備えている。
【００２８】
上記記憶装置には、情報登録プログラム、登録された各種情報を管理する情報管理プログラム、画像処理によって車両を特定するＡＶＩプログラム、ブラックリストから特定車両をフィルタリングするフィルタリングプログラム、通過管理装置１を管理する管理プログラム、その他必要な処理を実行するプログラムを格納する。
【００２９】
上記ブラックリストは、不正事件毎にユニークに付される管理番号、不正日時、不正場所、不正車両番号、並びに未納金額等を格納し、不正事件毎に情報管理プログラムによって管理している。
【００３０】
通過管理装置１は駐車場の出入り口に設置され、制御コンピュータ１０、レーザセンサ２０、ゲート３０、自動精算機４０、警告ディスプレイ５０、並びにカメラ６０で構成されている。これらレーザセンサ２０、ゲート３０、自動精算機４０、警告ディスプレイ５０、並びにカメラ６０は制御コンピュータ１０に接続され、制御コンピュータ１０によって制御されている。なお、制御コンピュータ１０はコンピュータであり、前記総括管理サーバ１２０と同様の各種装置を備えている。
【００３１】
上記制御コンピュータ１０に備えた各種装置のうちの記憶装置には、制御コンピュータ１０に接続された各機器を制御する制御プログラム、各機器から得た情報を登録する情報登録プログラム、当該情報を総括管理サーバ１２０に送信する送信プログラム、その他必要な処理を実行するプログラムを格納する。
【００３２】
レーザセンサ２０は、レーザ照射部、レーザ受光部、並びに検出部とで構成し、レーザ照射部から照射したレーザビーム２１が車両７０で反射し、その反射レーザビーム２２をレーザ受光部が受光し、レーザ受光部の受光によって検出部が車両７０を検出する。レーザセンサ２０は逆Ｌ型の固定ポール２３の上部に固定されている。なお、固定ポール２３は５ｍ程度高さを有している。この５ｍの高さは所謂一般道路の建築限界を満足する高さである。
【００３３】
レーザ照射部は、レーザビーム２１を出射するレーザダイオードと、レーザダイオードから出射されたレーザビーム２１を集光し平行なビームにする投光レンズと、投光レンズで集光されたレーザビーム２１を下方に照射するミラーとで構成している。なお、レーザダイオードは所定の周期でパルス発光している。また、上記構成によって照射するレーザビーム２１のスポット形状を、車両７０の通過方向（図２矢印Ａ参照）の長さが短い楕円形状に形成している。
【００３４】
レーザ受光部は、車両７０で反射された反射レーザビーム２２を集光して受光する受光レンズと、受光レンズで受光された反射レーザビーム２２を電気信号に変換するフォトダイオードとで構成している。  
検出部は、前記フォトダイオードで変換された電気信号に基づいて車両７０を検出する構成である。
【００３５】
ゲート３０は、縦長直方体の本体部３１と、車両７０の運転席が自動精算機４０の前となる出庫操作位置Ｂ（図２）にある車両７０の前方で車両７０の進行を遮断するゲートバー３２と、ゲートバー３２の直下の本体部３１に備えたゲートバーセンサ３３とで構成している。
【００３６】
ゲートバー３２は、図示省略するゲートバー制御部と、ゲートバー駆動部によって、本体部３１内部の枢動支点を中心に上下方向に枢動し、通常時においては、図２に示すように、車両７０の通過を遮断するように、車両７０の正面の適宜の高さで略水平方向で停止している。また、車両７０が通過する際には、図２の中で点線で示すように、ゲートバー３２を上げて車両７０の通過を許容する。
【００３７】
ゲートバーセンサ３３は、ゲートバー３２が上がり、車両７０が通過する際に、通過する車両７０を検出する透過式のセンサであり、ゲートバーセンサ３３が車両の通過を検出している間は、ゲートバー３２が下がって車両通過を遮断することを禁止している。なお、本実施例において、ゲートバーセンサ３３を透過式センサで構成したが、通常の所謂ループ式センサで構成してもよい。
【００３８】
なお、ゲートバーセンサ３３が車両７０を検出しなくなってからゲートバー３２が下がり始めるまでの間にタイムラグ（以下において、遅れ時間という）を設けている。これにより、下がるゲートバー３２が車両７０に接触することを防止している。
【００３９】
自動精算機４０の車両側面に、図示省略する出庫操作開始ボタン、駐車券投入口、料金表示部、料金投入口、返金口、領収書発行ボタン、領収書発行口、並びに非常時通話装置を備え、内部に、ＣＰＵとＲＯＭとＲＡＭで構成される制御装置、ハードディスク等の記憶装置、駐車券等の磁気記憶情報を読取る読取装置、投入通貨回収装置、返金装置、制御コンピュータ１０と通信するための通信装置等の自動精算機４０で必要な処理を行うための装置を備えている。
【００４０】
警告ディスプレイ５０は、制御コンピュータ１０で制御され、制御コンピュータ１０から受信した警告情報を出力表示するディスプレイである。なお、警告ディスプレイ５０は、警告情報として警告文のみならず、後述するカメラ６０で撮影した画像等を出力表示することができる。
【００４１】
カメラ６０は、ＡＶＩ用の動画を撮像するＣＣＤカメラであり、図３（ａ）に示すように車両７０を前方から撮像する前方カメラ６０ａと、図３（ｂ）に示すように車両７０を後方から撮像する後方カメラ６０ｂとで構成している。なお、前方カメラ６０ａは車両７０のナンバープレート７１と運転者Ｃとを鮮明に撮影し、後方カメラ６０ｂは車両７０の後方のナンバープレート７１を鮮明に撮影することができる。なお、カメラ６０はＡＶＩ用のＣＣＤカメラに限定されず、通常の監視カメラや、静止画を撮影するデジタルカメラやアナログカメラであってもよい。
【００４２】
次に、図４に示す出庫処理のメインフローのフロー図と共に該処理について説明する。  
駐車場の営業中、通過管理装置１は、上記出庫操作位置Ｂ（図２）への車両７０の進入を待機し（ステップｓ１）、車両７０が出庫操作位置Ｂまで進入し、運転者Ｃによって出庫操作開始ボタンが押下されると、通過管理装置１は車両７０の出庫操作位置Ｂへの進入を検知する（ステップｓ２）。
【００４３】
その後、運転者Ｃによって自動精算機４０の駐車券投入口から駐車券が投入され、投入された駐車券から駐車料金を計算し、駐車料金を料金表示部に表示して、料金投入口から料金を受け取る（ステップｓ３：Ｙｅｓ）と、通過管理装置１はゲートバー３２を上げてゲートを開放する（ステップｓ４）。このとき、レーザセンサ２０とゲートバーセンサ３３は通過する車両７０を検出している（ステップｓ５：Ｙｅｓ）。そして、車両７０が進行してレーザセンサ２０から照射されるレーザビーム２１を越えるとレーザセンサ２０は車両を検出しなくなる（ステップｓ６：Ｙｅｓ）。さらに車両７０が進行すると、ゲートバーセンサ３３が車両７０を検出しなくなる（ステップｓ７：Ｙｅｓ）。これにより、通過管理装置１は車両７０が正当に駐車料金を支払い、正当に出庫したと判断する。そして、通過管理装置１はゲートバーセンサ３３が車両７０を検出しなくなってから所定の遅れ時間経過後にゲートバー３２を下げて、ステップｓ１に戻って次の車両７０の検出まで待機する。
【００４４】
なお、ステップｓ５において、レーザセンサ２０とゲートバーセンサ３３とが通過する車両７０を検出しない場合（ステップｓ５：Ｎｏ）、或いは、一旦レーザセンサ２０とゲートバーセンサ３３とが通過する車両７０を検出したが、レーザセンサ２０が車両７０を検出し続けた場合（ステップｓ６：Ｎｏ）、一定期間経過すると（ステップｓ１０：Ｙｅｓ）、レーザセンサ２０やゲートバーセンサ３３の誤作動として総括管理サーバ１２０に通知して（ステップｓ１１）、当該処理を終了する。なお、一定時間経過していない場合は（ステップｓ１０：Ｎｏ）、一定時間の経過を待って上記誤作動通知を行う。
【００４５】
また、ゲートバーセンサ３３が車両７０の検出している間に（ステップｓ７：Ｎｏ）、レーザセンサ２０の車両７０の検出が再開した場合（ステップｓ１２：Ｙｅｓ）、通過管理装置１は通行する車両７０が図１に示すような数ｃｍ程度の間隔の密着状態で前後に連なって走行する２台の密着車両（７０ａ，７０ｂ）として判定し、密着状態で連なる後方の密着車両７０ｂの画像をカメラ６０で撮影する（ステップｓ１３）。このとき、上記密着車両のうち前方の密着車両７０ａの分の駐車料金は支払われており、密着車両７０ａの出庫は正当な出庫である。しかし、後方の密着車両７０ｂ分の駐車料金は支払われていないものの、まだゲート３０を超えて出庫していないため、不正通過が確定しておらず、この状態において後方の密着車両７０ｂは不正通過の可能性の非常に高い状態である。
【００４６】
その後、後方の密着車両７０ｂの出庫操作が行われた場合（ステップｓ１４：Ｙｅｓ）、通過管理装置１は、密着車両７０ａ及び密着車両７０ｂの出庫は正当であると判断し、ステップｓ１に戻って次の車両７０の検出まで待機する。
【００４７】
逆に、通過管理装置１が出庫操作を受付けなかった場合（ステップｓ１４：Ｎｏ）、密着車両７０ｂは不正通過したとして、ステップｓ１３で撮像した密着車両７０ｂの画像に上書防止措置を施して保存し（ステップｓ１５）、上記ブラックリストに格納する項目の情報とともに、上記画像データを総括管理サーバ１２０に送信して、ブラックリストに登録する（ステップｓ１６）。そして、通過管理装置１は、ステップｓ１に戻って次の車両７０の検出まで待機する。
【００４８】
また、通過管理装置１は車両７０の出庫操作位置Ｂへの進入を検知したが、料金投入口から料金を受け取らず（ステップｓ３：Ｎｏ）、ゲートバーセンサ３３が車両７０を検出した場合（ステップｓ８：Ｙｅｓ）、遮断されたままのゲートバー３２を突破した不正通過として、総括管理サーバ１２０に通知して（ステップｓ９）、当該処理を終了する。また、ゲートバーセンサ３３が車両７０を検出せずに（ステップｓ８：Ｎｏ）、一定期間経過すると（ステップｓ１０：Ｙｅｓ）、自動精算機４０の誤作動として総括管理サーバ１２０に通知して（ステップｓ１１）、当該処理を終了する。なお、一定時間経過していない場合は（ステップｓ１０：Ｎｏ）、一定時間の経過を待って上記誤作動通知を行う。
【００４９】
このようにして、通過管理装置１は、車両７０の出庫処理を行い、密着車両７０ｂの不正通過を検出して、ブラックリストに登録することができる。次に、上記処理において、以前に不正通過したことのある車両７０が出庫する場合の処理について、図５とともに説明する。なお、この処理は、図４で示すステップｓ２で通過管理装置１が車両７０の進入を検知した後に実行される処理である。
【００５０】
ステップｓ２での車両７０の進入検知後に、通過管理装置１は車両７０の画像をカメラ６０で撮像する（ステップｔ１）。車両７０の画像を撮像した通過管理装置１は回線１１０を介して総括管理サーバ１２０に撮像データを送信し、撮像データを受信した総括管理サーバ１２０は上記ＡＶＩプログラムによって車両７０を特定する（ステップｔ２）。さらに、上記特定された車両７０がブラックリストを格納された不正通過車両でないか上記フィルタリングプログラムによって検索する（ステップｔ３）。
【００５１】
上記特定された車両７０がブラックリストを格納された不正通過車両でないと判定された場合（ステップｔ４：Ｎｏ）、総括管理サーバ１２０はその旨を通過管理装置１に通知し、当該通知を受信した通過管理装置１は今回の駐車料金を請求し（ステップｔ５）、駐車料金を支払う等の出庫操作を受付けると（ステップｔ６：Ｙｅｓ）、ステップｓ５に戻って、上述したような通常の出庫処理のフローに従って動作する。
【００５２】
上記特定された車両７０がブラックリストを格納された不正通過車両であると判定されたが（ステップｔ４：Ｙｅｓ）、不正通過回数が所定回数を超えていない場合（ステップｔ７：Ｎｏ）、総括管理サーバ１２０はその旨を通過管理装置１に通知し、当該通知を受信した通過管理装置１は今回の駐車料金に加えてそれまでの未払いである未払い駐車料金を加えて請求し（ステップｔ８）、駐車料金を支払う等の出庫操作を受付けると（ステップｔ６：Ｙｅｓ）、ステップｓ５に戻って、上述したような通常の出庫処理のフローに従って動作する。
【００５３】
しかし、不正通過回数が所定回数を超えている場合（ステップｔ７：Ｙｅｓ）、通過管理装置１が駐車料金を加えて請求したもの（ステップｔ５，８）、或いは駐車料金を支払う等の出庫操作を受付けなかった場合（ステップｔ６：Ｎｏ）、通過管理装置１はゲートバー３２を上げずに封鎖し、車両７０の通過を遮断し（ステップｔ９）、総括管理サーバ１２０を介して関係機関に通報して当該処理を終了する。
【００５４】
このようにして、上記構成を有する通過管理装置１は、自動精算機４０で出庫操作を受付けた車両７０以外の密着車両７０ｂの出庫をレーザセンサ２０とゲートバーセンサ３３のセンシングによって確実に検出することができる。
【００５５】
また、レーザビーム２１のスポット形状を、車両７０の通過方向（図２矢印Ａ参照）の長さが短い楕円形状に形成しているため、スポット形状が車両７０の通過方向の長さが長い楕円形状であるレーザビームと比較して、より正確な車両検出能力を発揮することができる。
【００５６】
また、レーザセンサ２０を上方位置に配置し、車両７０の上方からレーザビーム２１を照射する構成としたことによって、例えば車両７０の側方からレーザビーム２１を照射する側方位置にレーザセンサ２０を配置した場合と比較して、側方位置に配置した場合の車両の離間部分を悪意者が手や人体で遮ることでセンサを誤作動させる不正を防止することができる。  
また、警告ディスプレイ５０を備えたことによって、制御コンピュータ１０で制御された警告情報を出力表示することができる。
【００５７】
また、総括管理サーバ１２０のブラックリストで過去に不正通過した車両７０を管理することができ、さらには、出庫しようとしている車両７０が既にブラックリストに登録されている車両７０でないか判定し、ブラックリストに登録されているが所定回数未満である場合に未払い分の駐車料金を請求し、所定回数以上の場合当該車両７０の出庫を停止することができる。これにより、不正通過管理システム１００を管理する管理者の利便性が向上する。
【００５８】
なお、車両の進行方向に対して直角方向である幅方向の扇状のレーザビームを下方に向けて照射するポリゴンミラーをレーザ照射部に備え、レーザセンサ２０を扇状レーザビームで車両を検出するように構成してもよい。また、１回の扇状レーザビームの照射で車両検出する構成であってもよいが、扇状レーザビームを複数回照射し、その結果に基づいて車両検出する構成であってもよい。さらに、複数回の扇状レーザビームの照射開始位置をそれぞれずらして照射することによって、パルス発光しているレーザビームでの車両検出の精度を向上させてもよい。
【００５９】
詳述すると、レーザダイオードから出射され、投光レンズで平行なビームとなったレーザビームは、回転機構によって一定速度且つ一方向に回転するポリゴンミラーで反射し、下方に向かって広がる扇状に照射される。なお、レーザダイオードは所定の周期でパルス発光しているため、一定速度で回転するポリゴンミラーによって反射したレーザビームは幅方向の所定間隔ごとに照射され、扇状に走査する扇状レーザビームを形成している。このとき、ポリゴンミラーの回転位置とレーザダイオードの発光タイミングとを制御することで扇状レーザビームの照射角度、すなわち扇状レーザビームの照射範囲を調整している。
【００６０】
このように扇状に照射される扇状レーザビームを複数回照射し、各回の照射開始位置をずらすことによって、レーザビームによる走査間隔を縮めることができ、幅方向の車両検出精度を向上することができる。したがって、例えば、一回の照射では検出できないような車両連結部分等の幅の狭い部分を検出することができるため、連結部分等を有するトレーラ等の車両を密着車両として検出することを防止できる。
【００６１】
また、本実施例において、レーザセンサ２０とゲートバーセンサ３３とを別体で構成したが、レーザセンサとゲートバーセンサとを一体で構成してもよい。この場合、一体形成したレーザセンサとゲートバーセンサを、ゲートバーよりわずかに外側に配置することが望ましく、さらには、ゲートセンサの検出終了からゲートバー枢動までの遅れ時間を０．５ｍｓ程度の遅れ時間を設定すればよい。
【００６２】
また、本実施例において、不正通過管理システム１００及び通過管理装置１を駐車場の出口における出庫処理に利用したが、有料道路のＥＴＣゲートに本発明の通過管理装置１や不正通過管理システム１００を用いても良い。
【００６３】
この発明の構成と、上述の実施形態との対応において、
未受付車両は、密着車両７０ｂに対応し、
以下同様に、
操作受付手段は、自動精算機４０に対応し、
車両台数検出手段は、レーザセンサ２０に対応し、
通過車両管理装置は、通過管理装置１に対応し、
反射光は、反射レーザビーム２２に対応し、
警告出力手段は、警告ディスプレイ５０に対応し、
撮像手段は、カメラ６０に対応し、
総括管理装置は、総括管理サーバ１２０に対応し、
遮断手段は、ゲートバー３２に対応し、
通知手段は、送信プログラムに対応し、
不正通過車両特定手段は、ＡＶＩシステムに対応し、
不正通過車両情報保管手段は、ブラックリスト及び情報登録プログラムに対応し、
車両特定手段は、ＡＶＩシステムに対応し、
未受付車両検知手段は、ステップｓ１２に対応し、
不正通過確認手段は、ステップｓ１４に対応し、
保存手段は、ステップｓ１５に対応し、
判定手段は、ステップｔ４に対応するも、
この発明は、前述の実施態様の構成のみに限定されるものではない。
【図面の簡単な説明】
【００６４】
【図１】不正通過管理システムシステム概容図。
【図２】ゲート装置が設置された駐車場の出口部分の斜視図。
【図３】車両が撮像された画像の説明図。
【図４】出庫処理のメインフローのフロー図。
【図５】以前に不正通過した車両が出庫する場合の処理のフロー図。
【符号の説明】
【００６５】
１…通過制御装置
１０…制御コンピュータ
２０…レーザセンサ
２１…レーザビーム
２２…反射レーザビーム
３２…ゲートバー
４０…自動精算機
５０…警告ディスプレイ
６０…カメラ
７０…車両
７０ｂ…密着車両
１００…不正通過管理システム
１２０…総括管理サーバ
【図１】
2008146298.tif 000003
【図２】
2008146298.tif 000004
【図３】
2008146298.tif 000005
【図４】
2008146298.tif 000006
【図５】
2008146298.tif 000007